(57)【要約】【課題】各種電気機器に使用されるモータにおいて、モータ内蔵の円板またはドーナツ型Ｐ板の外周寸法が、Ｐ板上に実装するインバータＩＣのケースの寸法形状により受ける制約を最小限に留め、モータに内蔵する駆動装置の小型化を実現することを目的とする。【解決手段】駆動装置１のＰ板上に搭載するインバータＩＣ３の形状を、中央部に比べて端部が小さくなるように、インバータＩＣ３のＡ部が形成されることから概略ドーナツ型Ｐ板の外周寸法ΦＸは、従来例図１０１のそれΦＸｏに比べ「Ｘ＜Ｘｏ」という関係になり小型化が果たせた。【選択図】図１
2007259619.tif 000002
【特許請求の範囲】
【請求項１】
モータに内蔵するモータ駆動装置で、該駆動装置は、概略円板またはドーナツ状の形態をしたプリント配線板上にモータ巻線相数分の出力を有するインバータＩＣを備えたものであって、前記インバータＩＣの外形を、前記概略円板またはドーナツ状の形態をしたプリント配線板の外周円内に収まるように、中央部より端部の幅が小さい形状を有することを特徴とするモータ駆動装置。
【請求項２】
インバータＩＣは、樹脂モールドのケースから水平に金属製放熱Ｆｉｎが突出した構造で、前記金属製放熱Ｆｉｎ形状を、概略円板またはドーナツ状の形態をしたプリント配線板の外周円内に収まるように、概略円弧状または台形状としたことを特徴とする請求項１記載のモータ駆動装置。
【請求項３】
インバータＩＣに代わって、複数のパワースイッチ素子を樹脂材料で一体成型したパワーモジュールに置換したことを特徴とする請求項１又は２記載のモータ駆動装置。
【請求項４】
インバータＩＣに代わって、複数のパワースイッチ素子並びに1つもしくは複数のドライバＩＣを樹脂材料で一体成型したパワーモジュールに置換したことを特徴とする請求項１又は２記載のモータ駆動装置。
【発明の詳細な説明】
【技術分野】
【０００１】
本発明は、モータの小型化に関し、特に家電空調機器などに用いられる小型ブラシレスモータに内蔵されるモータ駆動装置に関するものである。
【背景技術】
【０００２】
従来、ブラシレスモータに内蔵されるモータ駆動装置には、第３図のようにインバータＩＣ１０３をモータ外形に合わせたドーナツ型のＰ板１０２上に配置したモータ駆動装置１０１が、従来例としてあるが、該従来例ではＰ板の外形寸法ΦＸｏがＩＣのケースの寸法形状に制約され小型化が困難になるという課題があった。
【０００３】
その他、モータにＩＣを搭載した基板を内蔵した例として特開平２−１８４２４８号公報がある。
【特許文献１】特開平２−１８４２４８号公報
【発明の開示】
【発明が解決しようとする課題】
【０００４】
本発明が解決しようとする課題は、モータ内蔵の円板またはドーナツ型Ｐ板の外周寸法が、Ｐ板上に実装するインバータＩＣのケースの寸法形状により受ける制約を最小限に留め、モータに内蔵する駆動装置の小型化を実現することである。
【課題を解決するための手段】
【０００５】
本発明は、上記課題を解決するためにインバータＩＣの外形を、前記円板またはドーナツ状の形態をしたＰ板の外周円内に収まるように、中央部より端部の幅が小さい形状を有することを特徴とする。
【発明の効果】
【０００６】
インバータＩＣの外形を、中央部より端部の幅が小さい形状とすることで、モータ駆動装置を構成する概略円板またはドーナツ状の形態をしたＰ板の実装スペースを有効利用でき、これより外周寸法をより小さくして、前記駆動装置を内蔵するモータの小型化が容易になるという効果がある。
【発明を実施するための最良の形態】
【０００７】
本発明の請求項１に記載の発明は、モータに内蔵するモータ駆動装置で、該駆動装置は、概略円板またはドーナツ状の形態をしたＰ板上にモータ巻線相数分の出力を有するインバータＩＣを備えたものであって、前記インバータＩＣの外形を、前記概略円板またはドーナツ状の形態をしたＰ板の外周円内に収まるように、中央部より端部の幅が小さい形状を有することを特徴とするモータ駆動装置であり、モータの小型化を図ることが出来るという作用を有する。
【０００８】
本発明の請求項２に記載の発明は、インバータＩＣは、樹脂モールドのケースから水平に金属製放熱Ｆｉｎが突出した構造で、前記金属製放熱Ｆｉｎ形状を、概略円板またはドーナツ状の形態をしたＰ板の外周円内に収まるように、概略円弧状または台形状としたことを特徴とする請求項１記載のモータ駆動装置であり、モータの小型化を図ることが出来るという作用を有する。
【０００９】
本発明の請求項３に記載の発明は、インバータＩＣに代わって、複数のパワースイッチ素子を樹脂材料で一体成型したパワーモジュールに置換したことを特徴とする請求項１又
は２記載のモータ駆動装置であり、モータの小型化を図ることが出来るという作用を有する。
【００１０】
本発明の請求項４に記載の発明は、インバータＩＣに代わって、複数のパワースイッチ素子並びに1つもしくは複数のドライバＩＣを樹脂材料で一体成型したパワーモジュール化に置換したことを特徴とする請求項１又は２記載のモータ駆動装置であり、モータの小型化を図ることが出来るという作用を有する。
【実施例１】
【００１１】
図１（ａ）は、本発明のモータ駆動装置１、（ｂ）は、前記駆動装置のＰ板上に搭載するインバータＩＣ３の形状を示す。図１（ａ）に示すように、中央部に比べて端部の幅が小さくなるように、インバータＩＣ３のＡ部が形成されることから概略ドーナツ型Ｐ板の外周寸法ΦＸは、従来例図３のそれΦＸｏに比べ
【００１２】
【数１】
2007259619.tif 000003
という関係になり小型化が果たせた。
【実施例２】
【００１３】
図２は、インバータＩＣが樹脂モールド部６と金属製放熱Ｆｉｎ７と一体構造で、前記金属製放熱Ｆｉｎ７を台形状としたもので、概略ドーナツ型Ｐ板に搭載することで図1同様の効果が得られる。
【００１４】
なお、上記各実施例において、駆動装置のP板の形状が概略ドーナツ型である場合を示したが、ドーナツ型の中央部の穴は、モータのシャフトおよびこれを回転させるためのベアリングを通すためのものであり、これらシャフトおよびベアリングを通す必要のない構造のモータに同様の駆動装置を内蔵する場合は、そのP板形状は概略円板状としても構わない。
【００１５】
また、実施例２において、インバータＩＣのＦｉｎ形状が台形である場合を示したが、駆動装置のＰ板の外周円に概ね沿った形の概略円弧状としても構わない。
【００１６】
なお、上記各実施例におけるインバータＩＣは、パワー素子とこれを駆動するドライブ回路と制御回路とがモノリシックで一つのシリコンチップ上に集積化されたものが一般であるか、その他に上記インバータＩＣの代わりに、複数のパワースイッチ素子、もしくは複数のパワースイッチ素子とこれを駆動するドライバＩＣを一体化したパワーモジュールに置換した構成であっても外形形状寸法を実施例１又は２と同じにすることにより同様の小型効果が得られる。
【産業上の利用可能性】
【００１７】
本発明はモータの小型化だけでなく、ＩＣを配置したＰ板を内蔵した製品の小型化に寄与する可能性がある。
【図面の簡単な説明】
【００１８】
【図１】（ａ）本発明のモータ駆動装置の形態図（ｂ）前記に搭載するインバータＩＣの形状図
【図２】本発明のモータ駆動装置に搭載する金属製放熱Ｆｉｎと一体化したインバータＩＣの形状図
【図３】従来のモータ駆動装置の形態図
【符号の説明】
【００１９】
１  本発明のモータ駆動装置
２  ドーナツ型Ｐ板
３  中央部より端部の幅が小さい形状のインバータＩＣ
４  リード線
５  台形状金属製放熱Ｆｉｎと一体化したインバータＩＣ
６  樹脂モールド部
７  金属製放熱Ｆｉｎ
１０１  従来のモータ駆動装置
１０２  従来のドーナツ型Ｐ板
１０３  従来のインバータＩＣ
【図１】
2007259619.tif 000004
【図２】
2007259619.tif 000005
【図３】
2007259619.tif 000006